(57)【要約】      （修正有）【課題】商品の梱包作業や包装箱の一部を分離して商品を陳列する陳列作業を容易に行なうことができ、商品の陳列状態の見栄えに支障がない包装箱を提供する。【解決手段】底面部５０と、内側スリーブ状部５とを有し、内側側面部２０、３０において、その一部が分離部２４、３４として他の部分とミシン目Ｋ２、Ｋ６及び切込みＫ４、Ｋ８を介して分離可能に形成された内箱部Ａ１と、内箱部を覆う外箱部で、外側スリーブ状部１０５と、上面部１６０、１７０、１８０、１９０とを有し、外側側面部１２０には、略コ字状の切込み１２２等が、該略コ字状の切込みにより形成された片部１２６等が水平方向に回動可能となるように形成され、該片部１２６等の内側の面が分離部２４、３４と接着されている外箱部Ａ２と、を有し、片部１２６等を水平方向に外側に回動させることにより、分離部２４、３４が片部に接着した状態のまま内箱部Ａ１から分離する。【選択図】図３
0003139948.tif 000002
【実用新案登録請求の範囲】
【請求項１】
包装箱であって、
底面部と、底面部の各辺から立設し底面部に対して略直角をなす複数の内側側面部からなる内側スリーブ状部とを有し、上部が開口した内箱部で、少なくとも２つの内側側面部において、内側側面部の上端の領域の一部が分離部として他の部分とミシン目を有する切目線を介して分離可能に形成された内箱部と、
内箱部を覆う外箱部で、内箱部の内側スリーブ状部を構成する各内側側面部に対応して各内側側面部の外側の面に沿って設けられた外側側面部を有する外側スリーブ状部と、複数の外側側面部における少なくとも１つから連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着されている外箱部と、
を有し、
該略コ字状の切込みにより形成される片部を水平方向に外側に回動させることにより、分離部が片部に接着した状態のまま内箱部から分離することを特徴とする包装箱。
【請求項２】
包装箱であって、
略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の正面部側の端部から背面部側の端部までの上端の縁部に接する領域の一部が分離部として他の部分とミシン目を有する切目線を介して分離可能に形成され、１枚のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、スリーブ状部の上端の各辺から折れ線を介して連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着され、１枚のブランクにより形成された外箱部と、
該略コ字状の切込みにより形成される片部を水平方向に外側に回動させることにより、分離部が片部に接着した状態のまま内箱部から分離することを特徴とする包装箱。
【請求項３】
内箱部における正面部の高さ方向の長さは、背面部の高さ方向の長さよりも小さく形成されていることを特徴とする請求項２に記載の包装箱。
【請求項４】
外箱部における外側スリーブ状部を構成する各部の境界位置における少なくとも２つの境界位置には、下端から上方に伸びる切込み又は切欠が形成されていることを特徴とする請求項２又は３に記載の包装箱。
【請求項５】
上記外箱部における蓋部は、予め外側スリーブ状部から上方に立設して形成され、包装箱の上方が予め開口していることを特徴とする請求項２又は３又は４に記載の包装箱。
【請求項６】
上記内箱部の底面部は、内側スリーブ状部を構成する部材（以下、内側スリーブ状部構成部材とする）である内側正面部と一対の内側側面部と内側背面部における各部の１つの下端から連設され、内箱部の内底面を形成する略四角形状の底面本体部と、底面本体部が連設された内側スリーブ状構成部材と相対する内側スリーブ状構成部材の下端から連設された副体部と、底面本体部が連設された内側スリーブ状構成部材と隣接する２つの内側スリーブ状構成部材の下端からそれぞれ連設された接続片部で、その一方が底面本体部に接着され、他方が副体部に接着されていて、内側スリーブ状部が略平板状になるように折り畳むことにより、底面本体部と副体部とが内側スリーブ状部内に４つの内側スリーブ状構成部材と略平行な状態となり、内箱部が全体に略平板状に折り畳むことができることを特徴とする請求項２又は３又は４又は５に記載の包装箱。
【請求項７】
上記略コ字状の切込みが、横方向に形成された直線状の第１切込みと、第１切込みの端部から下側に向けて縦方向に形成された直線状の第２切込みと、第２切込みの下端から横方向で第１切込みに対して平行に形成された直線状の第３切込みとから構成されていることを特徴とする請求項１又は２又は３又は４又は５又は６に記載の包装箱。
【請求項８】
第２切込みの上端から下端に向けての途中位置には、第１切込みや第３切込みが設けられている側とは反対側に、横方向に互いに平行な一対の切込みが形成され、該一対の切込みと第２切込みにより形成された第２片部を内側に押し込むことにより、上記片部の先端の指への係止を容易として、片部の外側への回動を容易とすることを特徴とする請求項７に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、複数の商品を集合して包装するとともに、店頭等に陳列する包装箱としては、方形状トレー部の一辺の縁面部に上記トレー部を覆う外箱部を連続して形成し、上記トレー部の上記一辺の縁面部と上記外箱部との連続部に切取り部を設けたものが存在する（特許文献１）。
【０００３】
また、商品を収納する本体部と、この本体部を折り込みにより覆う蓋部とを対向する一対の部面においてのみ接続して成り、上記本体部と上記蓋部との接続部に切取り部を形成したものが存在する（特許文献２）。
【特許文献１】特開２００３−１２８０５１号公報
【特許文献２】特開２００３−１２８０５２号公報
【考案の開示】
【考案が解決しようとする課題】
【０００４】
しかし、上記特許文献１の包装箱においては、トレー部２’を横向きにした状態で商品を収納した（図５）後に、外箱部３を組み立て（図６〜図７）、その後、相対する側面について上面から底面に掛けて封止テープＴにより封止し（つまり、２カ所に封止テープにより封止を行なう）、上面部を上向きに回転させた（図９）後に搬送するので、商品を横向きにして収納させなければならず、横向きにできない商品には適していない。また、２カ所に封止テープにより封止する作業や、封止テープにより封止した後に包装箱を回転させる作業が必要になり、商品の梱包作業が繁雑であるという問題がある。また、商品を陳列するために外箱部３’を分離する際には、トレー部の一辺の縁面部と外箱部との連続部に長く形成された切取り部を切り取る必要があり、また、２カ所に設けられた封止テープを切断しなければならないため、陳列作業も繁雑である。また、特許文献１の例では、商品の陳列方向を前後方向として陳列するのが通常であるが、そうすると、封止テープを切断する際に切断を雑に行なうと、商品を陳列した際に、封止テープが見えてしまい商品の陳列状態における見栄えが悪いという問題が生じる。
【０００５】
また、上記特許文献２の包装箱においては、横向きにできない商品にも適応可能であるものの、商品を包装する際に、包装箱の下面と上面の背面側の２カ所に接着テープを貼着する必要があって、商品の梱包作業が面倒である。また、包装箱の正面側の切目線２０は、包装箱の正面側の右側端部から左側端部にかけて長く形成されているので、これを引き裂くには手間が掛かり、蓋部３’の分離作業が繁雑で、陳列作業が繁雑となる。さらに、特許文献２の例では、包装箱の下面に貼着した接着テープが蓋部３’を分離した後も正面側に見えてしまい、さらには、切目線２０が正面側になるので、切目線の引き裂きを雑に行なうと、雑に引き裂かれた切目線が正面側に見えてしまい、商品の陳列状態における見栄えが悪いという問題が生じる。
【０００６】
そこで、本考案が解決しようとする問題点は、複数の商品を集合して包装するとともに、包装箱の一部を分離させて商品を店頭等に陳列する包装箱において、商品の梱包作業や包装箱の一部を分離して商品を陳列する陳列作業を容易に行なうことができ、商品の陳列状態の見栄えに支障がない包装箱を提供することである。
【課題を解決するための手段】
【０００７】
本考案は上記問題点を解決するために創作されたものであって、第１には、包装箱であって、底面部と、底面部の各辺から立設し底面部に対して略直角をなす複数の内側側面部からなる内側スリーブ状部とを有し、上部が開口した内箱部で、少なくとも２つの内側側面部において、内側側面部の上端の領域の一部が分離部として他の部分とミシン目を有する切目線を介して分離可能に形成された内箱部と、内箱部を覆う外箱部で、内箱部の内側スリーブ状部を構成する各内側側面部に対応して各内側側面部の外側の面に沿って設けられた外側側面部を有する外側スリーブ状部と、複数の外側側面部における少なくとも１つから連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着されている外箱部と、を有し、該略コ字状の切込みにより形成される片部を水平方向に外側に回動させることにより、分離部が片部に接着した状態のまま内箱部から分離することを特徴とする。
【０００８】
この第１の構成の包装箱においては、蓋部を開けた状態として、包装箱の上方から複数の被収納物（商品）を内箱部内に収納する。その後、蓋部を閉状態にして、接着テープにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、片部を水平方向に外側に回動させることにより、同時に分離部を区画する切目線が破れて、分離部が内箱部から分離し、回動させた片部に接着した状態で片部に従動する。そして、外箱部を上方に引き上げることにより、被収納物を収納した状態で、かつ、分離部が分離した状態の内箱部が残るので、被収納物を内箱部に収納した状態で被収納物を陳列する。
【０００９】
よって、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。また、陳列状態における内箱部には接着テープは残存せず、また、外箱部を分離する際の切目線としては、分離部を区画する切目線のみであるあるので、商品の陳列状態の見栄えに支障を来すことがない。
【００１０】
また、第２には、包装箱であって、略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の正面部側の端部から背面部側の端部までの上端の縁部に接する領域の一部が分離部として他の部分とミシン目を有する切目線を介して分離可能に形成され、１枚のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、スリーブ状部の上端の各辺から折れ線を介して連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着され、１枚のブランクにより形成された外箱部と、該略コ字状の切込みにより形成される片部を水平方向に外側に回動させることにより、分離部が片部に接着した状態のまま内箱部から分離することを特徴とする。
【００１１】
この第２の構成の包装箱においては、蓋部を開けた状態として、包装箱の上方から複数の被収納物（商品）を内箱部内に収納する。その後、蓋部を閉状態にして、接着テープにより蓋部を封止する。つまり、外箱部の内側正面部から上面を経て内側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、片部を水平方向に外側に回動させることにより、同時に分離部を区画する切目線が破れて、分離部が内箱部から分離し、回動させた片部に接着した状態で片部に従動する。そして、外箱部を上方に引き上げることにより、被収納物を収納した状態で、かつ、分離部が分離した状態の内箱部が残るので、被収納物を内箱部に収納した状態で被収納物を陳列する。
【００１２】
よって、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。また、陳列状態における内箱部には接着テープは残存せず、また、外箱部を分離する際の切目線としては、分離部を区画する切目線のみであるあるので、商品の陳列状態の見栄えに支障を来すことがない。
【００１３】
また、第３には、上記第２の構成において、内箱部における正面部の高さ方向の長さは、背面部の高さ方向の長さよりも小さく形成されていることを特徴とする。よって、正面部を正面側として陳列することにより被収納物をユーザから見やすくすることができる。
【００１４】
また、第４には、上記第２又は第３の構成において、外箱部における外側スリーブ状部を構成する各部の境界位置における少なくとも２つの境界位置には、下端から上方に伸びる切込み又は切欠が形成されていることを特徴とする。よって、外箱部を内箱部に対して容易に上方に引き上げることができる。
【００１５】
また、第５には、上記第２から第４までのいずれかの構成において、上記外箱部における蓋部は、予め外側スリーブ状部から上方に立設して形成され、包装箱の上方が予め開口していることを特徴とする請求項２又は３又は４に記載の包装箱。
【００１６】
また、第６には、上記内箱部の底面部は、内側スリーブ状部を構成する部材（以下、内側スリーブ状部構成部材とする）である内側正面部と一対の内側側面部と内側背面部における各部の１つの下端から連設され、内箱部の内底面を形成する略四角形状の底面本体部と、底面本体部が連設された内側スリーブ状構成部材と相対する内側スリーブ状構成部材の下端から連設された副体部と、底面本体部が連設された内側スリーブ状構成部材と隣接する２つの内側スリーブ状構成部材の下端からそれぞれ連設された接続片部で、その一方が底面本体部に接着され、他方が副体部に接着されていて、内側スリーブ状部が略平板状になるように折り畳むことにより、底面本体部と副体部とが内側スリーブ状部内に４つの内側スリーブ状構成部材と略平行な状態となり、内箱部が全体に略平板状に折り畳むことができることを特徴とする。
【００１７】
また、第７には、上記第１から第６までのいずれかの構成において、上記略コ字状の切込みが、横方向に形成された直線状の第１切込みと、第１切込みの端部から下側に向けて縦方向に形成された直線状の第２切込みと、第２切込みの下端から横方向で第１切込みに対して平行に形成された直線状の第３切込みとから構成されていることを特徴とする。
【００１８】
また、第８には、上記第７の構成において、第２切込みの上端から下端に向けての途中位置には、第１切込みや第３切込みが設けられている側とは反対側に、横方向に互いに平行な一対の切込みが形成され、該一対の切込みと第２切込みにより形成された第２片部を内側に押し込むことにより、上記片部の先端の指への係止を容易として、片部の外側への回動を容易とすることを特徴とする。
【考案の効果】
【００１９】
本考案に基づく包装箱によれば、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。また、陳列状態における内箱部には接着テープは残存せず、また、外箱部を分離する際の切目線としては、分離部を区画する切目線のみであるあるので、商品の陳列状態の見栄えに支障を来すことがない。
【考案を実施するための最良の形態】
【００２０】
本考案においては、複数の商品を集合して包装するとともに、包装箱の一部を分離させて商品を店頭等に陳列する包装箱において、商品の梱包作業や包装箱の一部を分離して商品を陳列する陳列作業を容易に行なうことができ、商品の陳列状態の見栄えに支障がない包装箱を提供するという目的を以下のようにして実現した。
【００２１】
本考案に基づく包装箱Ａは、図１〜図７等に示すように構成され、図１、図３、図４、図１０、図１３等に示すように、内箱部Ａ１と、外箱部Ａ２とを有していて、それぞれが１枚のシート状のブランク（具体的には、段ボール、厚紙等）により形成されている。
【００２２】
なお、図６、図７に示す展開図においては、折れ線は点線で示され、ミシン目は、折れ線よりも太い点線により示している。
【００２３】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図６に示すように形成されている。
【００２４】
ここで、正面部１０は、方形状の上側に略方形状の切欠部１２が形成された凹状を呈し、上方が開口した略コ字状を呈している。
【００２５】
また、側面部２０は、正面部１０の正面視における右側の端部から折れ線を介して連設され、方形状における上側の一部を切り欠いた形状を呈し、その上端の縁部は、凹凸形状に形成され、正面側の端部においては、正面部１０における正面視右端の縁部と同じ高さに形成され、背面側の端部においては、背面部４０の上端の縁部の高さと同じに形成されている。この側面部２０は、本体部２２と、分離部２４とを有し、側面部２０の上端の領域の一部にミシン目Ｋ２と切込みＫ４とからなる境界線で区画することにより、本体部２２と、分離部２４とが形成されている。つまり、ミシン目Ｋ２と切込みＫ４とからなる境界線よりも上側の領域が分離部２４となる。この分離部２４の形状は、正面側と上面側とが直線状に形成されるとともに、下面側と背面側とが円弧状に形成されていて、少なくとも、分離部２４の形状は、外箱部Ａ２の側面の片部１２６を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、ミシン目Ｋ２や切込みＫ４の水平方向（側面部２０の下辺の方向）に対して９０度以下に形成されている。例えば、図７に示すように、ミシン目Ｋ２の水平方向に対する角度α１、α２は９０度以下に形成され（特に、α２はマイナスの角度である）、また、切込みＫ４の水平方向に対する角度α３も９０度以下に形成されている。仮に、切込みＫ４の角度が９０度よりも大きくなってしまうと、分離部２４を本体部２２に対して上方に移動させる際に、本体部２２が支障となってしまうが、本実施例の場合にはそのようなおそれがない。なお、本体部２２の形状としては、上端の縁部が、ミシン目Ｋ２と切込みＫ４の境界を介して、略水平方向に波形に形成された部分Ｆ１と、円弧状に立ち上がる部分Ｆ２とから構成されていて、全体に略Ｌ字状を呈し、その屈曲部の内側に分離部２４が形成されているといえる。この分離部２４の形成位置は、外箱部Ａ２の片部１２６の裏側の領域であり、分離部２４は片部１２６の裏側に接着され、片部１２６を外側に回動させることにより、分離部２４も片部１２６の裏側に接着したままミシン目Ｋ２が破断されて、分離部２４が本体部２２から分離するように形成されている。なお、分離部２４と本体部２２との境界をなすミシン目Ｋ２と切込みＫ４は、上記切目線となる。
【００２６】
また、側面部３０は、正面部１０の正面視における左側の端部から折れ線を介して連設され、方形状における上側の一部を切り欠いた形状を呈し、本体部３２と、分離部３４とを有し、側面部３０の上端の領域の一部にミシン目Ｋ６と切込みＫ８とからなる境界線で区画することにより、本体部３２と、分離部３４とが形成されている。この側面部３０の構成は、側面部２０と前後方向に垂直な仮想的な平面である中心面を介して対称に形成されていて、本体部３２は本体部２２と対象に形成され、分離部３４は分離部２４と対称に形成されていることから詳しい説明を省略する。なお、分離部３４の形成位置は、外箱部Ａ２の片部１３６の裏側の領域であり、分離部３４は片部１３６の裏側に接着され、片部１３６を外側に回動させることにより、分離部３４も片部１３６の裏側に接着したままミシン目Ｋ６が破断されて、分離部３４が本体部３２から分離するように形成されている。なお、分離部３４と本体部３２との境界をなすミシン目Ｋ６と切込みＫ８は、上記切目線となる。
【００２７】
また、背面部４０は、側面部２０の右側面視における右端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００２８】
また、糊代部４２は、側面部３０の左側面視における左端から折れ線を介して連設され、縦方向に細長の帯状台形形状を呈している。この糊代部４２は、図３に示すように、その外側の面が背面部４０の内側の面に接着されている。
【００２９】
また、底面部５０は、接続片部６０と、本体部７０と、副体部８０と、接続片部９０とを有し、包装箱Ａの組立て状態においては、図５に示すように、略方形状を呈している。ここで、接続片部６０は、正面部１０の下端から折れ線を介して連設され、先端側にいくほど幅狭となる略台形形状に形成されている。また、本体部７０は、側面部２０の下端から折れ線を介して連設され、略長方形状に形成され、本体部７０のその上面が内箱部Ａ１の内底面を形成している。また、本体部７０の角部（側面部２０と背面部４０の境界位置の角部）からは本体部７０の側面部２０との境界をなす辺部に対して斜めに折れ線７０−１（この折れ線７０−１は、上面側が谷折れ線となっている）が形成され、内箱部Ａ１を折り畳む際に、容易に折り畳むことができるようになっている。
【００３０】
また、副体部８０は、側面部３０の下端から折れ線を介して連設され、細長の長方形状の長手方向の一方の端部において側面部３０との境界線とは反対側に略台形状に突出させた形状を呈し、副体部８０の角部（側面部３０と正面部１０の境界位置の角部）からは副体部８０の側面部３０との境界をなす辺部に対して斜めに折れ線８０−１（この折れ線８０−１は、上面側が山折れ線となっている）が形成され、この折れ線８０−１を介して先端側が先端部８４を構成し、折れ線８０−１を介して基端側が基端部８２を構成する。この先端部８４は、図５に示すように、その上面側が、先端部８４の辺部８４ａが正面部１０と接続片部６０の境界線に対して平行になるように、接続片部６０の下面に接着されている。
【００３１】
また、接続片部９０は、背面部４０の下端から折れ線を介して連設され、略台形形状を呈し、この接続片部９０の角部（側面部２０と背面部４０の境界位置の角部）からは接続片部９０の背面部４０との境界をなす辺部に対して斜めに折れ線９０−１（この折れ線９０−１は、上面側が山折れ線となっている）が形成され、この折れ線９０−１を介して先端側が先端部９４を構成し、折れ線９０−１を介して基端側が基端部９２を構成する。この先端部９４は、図５に示すように、その上面側が、先端部９４の辺部９４ａが背面部４０と接続片部９０の境界線に対して平行になるように、本体部７０の下面に接着されている。
【００３２】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、本体部７０を上方に回動させて本体部７０が側面部２０に対して略平行になるようにすることにより、図１０に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００３３】
なお、正面部１０と側面部２０、３０と背面部４０は、請求項１における内側側面部を構成する。
【００３４】
次に、外箱部Ａ２は、内箱部Ａ１を覆う箱体であり、図１〜図４、図８等に示すように、スリーブ状部（外側スリーブ状部）１０５と、上面部１６０、１７０、１８０、１９０とを有していて、その展開状態は、図８に示すように形成されている。
【００３５】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００３６】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００３７】
また、側面部１２０は、正面部１１０の正面視における右側の端部から折れ線（後述の２本のミシン目Ｋ１２により形成される折れ線）を介して連設され、方形状を呈し、切込み１２２と切込み１２４ａ、１２４ｂが形成されている。
【００３８】
ここで、切込み１２２は、略コ字状を呈し、横方向（側面部１２０の下辺と略平行な方向）に形成された直線状の第１切込み１２２ａと、第１切込み１２２ａの端部（右側面視における左側の端部）から下側に向けて縦方向（側面部１２０の下辺と略直角な方向）に形成された直線状の第２切込み１２２ｂと、第２切込み１２２ｂの下端から横方向で第１切込み１２２ａに対して平行に形成された直線状の第３切込み１２２ｃにより、全体に略コ字状に形成されている。つまり、第２切込み１２２ｂは、第１切込み１２２ａと第３切込み１２２ｃに対して直角に形成されている。また、第１切込み１２２ａの長さと第３切込み１２２ｃの長さは同一に形成されている。この第１切込み１２２ａと第３切込み１２２ｃ間の幅は、内箱部Ａ１の分離部２４の縦方向の幅よりも大きく形成され、また、第１切込み１２２ａや第３切込み１２２ｃの長さは、分離部２４の横方向の幅よりも大きく形成されている。以上のように、切込み１２２と、第１切込み１２２ａ及び第３切込み１２２ｃの第２切込み１２２ｂ側とは反対側の端部間を結ぶ仮想状の直線により囲まれた領域が、片部１２６となる。
【００３９】
また、第２切込み１２２ｂの上端から下端に向けての途中位置には、第１切込み１２２ａや第３切込み１２２ｃが設けられている側とは反対側に、横方向に互いに平行な切込み１２４ａ、１２４ｂが形成されている。つまり、切込み１２４ａと切込み１２４ｂは、互いに平行に形成され、第１切込み１２２ａや第３切込み１２２ｃと平行に形成されている。また、切込み１２４ａは、第１切込み１２２ａよりも下側に形成され、切込み１２４ｂは、第３切込み１２２ｃよりも下側に形成されている。以上のように、切込み１２４ａと、切込み１２４ｂと、第２切込み１２２ｂと、切込み１２４ａ及び切込み１２４ｂの第２切込み１２２ｂ側とは反対側の端部間を結ぶ仮想状の直線によりにより囲まれた領域が、片部１２８となる。この側面部１２０の横幅は、内箱部Ａ１を外箱部Ａ２内に収納することができるように、側面部２０の横幅よりも若干大きく形成されている。
【００４０】
なお、正面部１１０と側面部１２０の境界位置には、互いに平行な直線状の２本のミシン目Ｋ１２が形成されている。また、側面部１２０と正面部１１０の間の位置における下側には、縦長の切欠部Ｋ１４が形成されている。
【００４１】
また、側面部１３０は、正面部１１０の正面視における左側の端部から折れ線（後述のミシン目Ｋ１６により形成される折れ線）を介して連設され、方形状を呈し、切込み１３２と切込み１３４ａ、１３４ｂが形成されている。
【００４２】
この側面部１３０の構成は、側面部１２０と前後方向に垂直な仮想的な平面である中心面を介して対称に形成されていて、切込み１３２は、切込み１２２と対称に形成され、横方向に形成された第１切込み１３２ａと、第１切込み１３２ａの端部（左側面視における右側の端部）から下側に向けて縦方向に形成された第２切込み１３２ｂと、第２切込み１３２ｂの下端から横方向で第１切込み１３２ａに対して平行に形成された第３切込み１３２ｃにより、全体に略逆コ字状に形成されている。また、第２切込み１３２ｂの上端から下端に向けての途中位置には、第１切込み１３２ａや第３切込み１３２ｃが設けられている側とは反対側に、横方向に互いに平行な切込み１３４ａ、１３４ｂが形成されている。そして、切込み１３２と、第１切込み１３２ａ及び第３切込み１３２ｃの第２切込み１３２ｂ側とは反対側の端部間を結ぶ仮想状の直線により囲まれた領域が、片部１３６となり、また、切込み１３４ａと、切込み１３４ｂと、第２切込み１３２ｂと、切込み１３４ａ及び切込み１３４ｂの第２切込み１３２ｂ側とは反対側の端部間を結ぶ仮想状の直線によりにより囲まれた領域が、片部１３８となる。切込み１３２の詳しい構成は、切込み１２２と対称である以外は同一の構成であるので、詳しい説明を省略し、また、切込み１３４ａ、１３４ｂの詳しい構成は、切込み１２４ａ、１２４ｂと対称である以外は同一の構成であるので、詳しい説明を省略する。
【００４３】
なお、正面部１１０と側面部１３０の境界位置には、直線状のミシン目Ｋ１６が形成されている。また、側面部１３０と正面部１１０の間の位置における下側には、縦長の切欠部Ｋ１８が形成されている。
【００４４】
また、背面部１４０は、側面部１２０の右側面視における右端から折れ線（後述のミシン目Ｋ２０により形成される折れ線）を介して連設され、方形状を呈している。この背面部１４０の横幅は、内箱部Ａ１を外箱部Ａ２内に収納することができるように、背面部４０の横幅よりも若干大きく形成されている。
【００４５】
また、糊代部１４２は、背面部１４０の背面視における右端から折れ線（後述の２本のミシン目Ｋ２２により形成される折れ線）を介して連設され、縦方向に細長の帯状台形形状を呈している。この糊代部１４２は、図２に示すように、その内側の面が側面部１３０の外側の面に接着されている。
【００４６】
また、正面部１１０と側面部１２０、１３０と背面部１４０の縦幅は同一に形成されていて、内箱部Ａ１の縦幅と同一又は若干大きく形成されている。
【００４７】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。
【００４８】
なお、正面部１１０と側面部１２０、１３０と背面部１４０は、請求項１における外側側面部を構成する。
【００４９】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００５０】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０の内側の面の間には接着剤層（図示せず）が設けられていて、同様に、分離部３４の外側の面の全部又は一部の領域と側面部１３０の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２６を外側に回動させた際に、同時に分離部２４の下側のミシン目Ｋ２が破れて、分離部２４が内箱部Ａ１から分離し、回動させた片部１２６に接着した状態で片部１２６に従動するように設定されていて、同様に、外箱部Ａ２の片部１３６を外側に回動させた際に、同時に分離部３４の下側のミシン目Ｋ６が破れて、分離部３４が内箱部Ａ１から分離し、回動させた片部１３６に接着した状態で片部１３６に従動するように設定されている。
【００５１】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００５２】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図９に示すように平板状に折り畳むことができる。
【００５３】
上記構成の包装箱Ａの使用状態について説明する。包装箱Ａを使用しない状況では、上記のように包装箱Ａは平板状に折り畳むことができるので、折り畳んで保管しておく。
【００５４】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００５５】
そして、図１１に示すように、包装箱Ａの上方から複数の被収納物（商品）Ｇを内箱部Ａ１内に収納する。図１１は、箱状の商品である例を示しているが、他の被収納物であってもよい。なお、上面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、接着テープＴを外箱部Ａ２の正面部１１０から上面を経て背面部１４０側にまで接着させることにより、上面部１６０〜１９０を封止する。
【００５６】
以上のようにして、被収納物を包装箱Ａに包装したら、被収納物Ｇを収納した包装箱Ａを被収納物Ｇを陳列する場所に搬送する。
【００５７】
その後、被収納物を陳列する場合には、外箱部Ａ２を内箱部Ａ１から分離する。すなわち、図１３に示すように、外箱部Ａ２の側面部１２０の片部１２８を内側に押し込むことにより片部１２６の先端に指を引っかけることができるようにした後に、片部１２６を外側に回動させる。つまり、横方向に形成された第１切込み１２２ａと第３切込み１２２ｃの第２切込み１２２ｂが設けられている側とは反対側の端部間を結ぶ直線状の折れ線（側面部１２０の下辺に対して垂直方向の直線）１２６ａが回動軸となって片部１２６が水平方向に回動する。
【００５８】
同様に、外箱部Ａ２の側面部１３０の片部１３８を内側に押し込むことにより片部１３６の先端に指を引っかけることができるようにした後に、片部１３６を外側に回動させる。つまり、横方向に形成された第１切込み１３２ａと第３切込み１３２ｃの第２切込み１３２ｂが設けられている側とは反対側の端部間を結ぶ直線状の折れ線（側面部１３０の下辺に対して垂直方向の直線）が回動軸となって片部１３６が水平方向に回動する。なお、片部１２６、１３６が回動する際の回動軸となる折れ線の箇所には、罫線を形成しておかなくても片部１２６、１３６を回動させることにより自然と折れ線が形成されるが、予め該折れ線の箇所に罫線を形成しておいてもよい。
【００５９】
すると、外箱部Ａ２の片部１２６を外側に回動させた際に、同時に分離部２４の下側のミシン目Ｋ２が破れて、分離部２４が内箱部Ａ１から分離し、回動させた片部１２６に接着した状態で片部１２６に従動する。同様に、外箱部Ａ２の片部１３６を外側に回動させた際に、同時に分離部３４の下側のミシン目Ｋ６が破れて、分離部３４が内箱部Ａ１から分離し、回動させた片部１３６に接着した状態で片部１３６に従動する。
【００６０】
そして、図１４に示すように、外箱部Ａ２を上方に引き上げることにより、被収納物を収納した状態で、かつ、分離部２４、３４が分離した状態の内箱部Ａ１が残るので、被収納物を内箱部Ａ１に収納した状態で被収納物を陳列する。なお、外箱部Ａ２には、切欠部Ｋ１４、Ｋ１８が設けられていて、正面部１１０や側面部１２０、１３０の下端が外側と内側間を移動する余裕があるので、外箱部Ａ２を容易に引き上げることができる。また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【００６１】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。つまり、上記先行技術文献に示す包装箱のように、商品を横向きに収納する必要もなく、また、複数箇所に接着テープを接着する必要もない。
【００６２】
また、本実施例の包装箱Ａによれば、、外箱部Ａ２の側面部１２０、１３０の片部１２８、１３８を内側に押し込むことにより片部１２６、１３６の先端に指を引っかけることができるようにした後に、片部１２６、１３６を外側に回動させて、分離部２４、３４を内箱部Ａ１から分離して外箱部Ａ２を上方に引き上げるのみで陳列することができるので、陳列作業を容易に行なうことができる。
【００６３】
また、本実施例の包装箱Ａによれば、陳列状態における内箱部Ａ１には接着テープは残存せず、また、分離部２４、３４を分離することにより切断されるミシン目としては、ミシン目Ｋ２、Ｋ６のみであり、このミシン目Ｋ２、Ｋ６の切断跡は内箱部Ａ１の側方に設けられているのみであるので、商品の陳列状態の見栄えに支障を来すことがない。つまり、ミシン目の切断跡は正面側ではないので、ミシン目の切断跡が目立つことがなく、商品の陳列状態の見栄えに支障を来すことがない。
【００６４】
また、特に、本実施例の包装箱Ａにおいては、片部１２６、１３６が外箱部Ａ２の側面部１２０、１３０の下端位置よりも上側に設けられ、特に、片部１２６、１３６は、スリーブ状部１０５の下端の縁部に対して垂直方向の回動軸を中心に水平方向に回動するので、商品が収納された収納物を持ち上げて搬送する際に、誤って片部１２６、１３６を回動させてしまうことがない。つまり、仮に、分離部と接着した片部で、回動させるための片部をスリーブ状部１０５の下端から上方に伸びる平行な切込みにより形成した場合には、包装箱Ａを持ち上げる際に該片部の位置を手に持って持ち上げると、誤って  該片部を回動させてしまい、内箱部Ａ１と外箱部Ａ２とを分離させてしまうおそれがあるが、本実施例の包装箱Ａの外箱部Ａ２における片部１２６、１３６は上記のように構成されているので、そのようなおそれがない。
【００６５】
なお、上記の説明において、外箱部Ａ２においては、スリーブ状部１０５を構成する正面部１１０と側面部１２０の境界位置に切欠部Ｋ１４が設けられ、正面部１１０と側面部１３０の境界位置に切欠部Ｋ１８が設けられているとして説明したが、同様の構成の切欠部を側面部１２０と背面部１４０の境界位置や側面部１３０と背面部１４０の境界位置に設けるようにしてもよい。なお、少なくとも、外箱部Ａ２におけるスリーブ状部１０５を構成する各部（正面部１１０と、側面部１２０、１３０と、背面部１４０）の境界位置における少なくとも２つの境界位置に切欠部を設ければ、少なくともスリーブ状部１０５を構成する各部のうちの３つの下端において外側と内側間を移動する余裕ができるので、外箱部Ａ２を内箱部Ａ１に対して容易に引き上げることができる。また、スリーブ状部１０５を構成する各部の境界位置の切欠部は、切込みであってもよい。
【００６６】
また、内箱部Ａ１の底面部５０において、接続片部６０が正面部１０から連設され、接続片部９０が背面部４０から連設されているとしたが、逆に、接続片部６０が背面部４０から連設され、接続片部９０が正面部１０から連設された構成としてもよい。また、本体部７０が側面部２０から連設され、副体部８０が側面部３０から連設されているとしたが、逆に、本体部７０が側面部３０から連設され、副体部８０が側面部２０から連設された構成としてもよい。
【００６７】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【図面の簡単な説明】
【００６８】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】図１のＰ−Ｐ線における断面図である。
【図５】本考案の実施例に基づく包装箱の底面図である。
【図６】内箱部の展開図である。
【図７】図６における要部説明図である。
【図８】外箱部の展開図である。
【図９】包装箱を折り畳んだ状態を示す斜視図である。
【図１０】包装箱を折り畳んだ際の内箱部の折り畳み状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【符号の説明】
【００６９】
Ａ  包装箱
Ａ１  内箱部
Ａ２  外箱部
５、１０５  スリーブ状部
１０、１１０  正面部
２０、３０、１２０、１３０  側面部
２２、３２  本体部
２４、３４  分離部
４０、１４０  背面部
４２、１４２  糊代部
５０  底面部
６０、９０  接続片部
７０  本体部
８０  副体部
１２２、１３２、１２４ａ、１２４ｂ、１３４ａ、１３４ｂ  切込み
１２２ａ、１３２ａ  第１切込み
１２２ｂ、１３２ｂ  第２切込み
１２２ｃ、１３２ｃ  第３切込み
１２６、１２８、１３６、１３８  片部
１６０、１７０、１８０、１９０  上面部
【図１】
0003139948.tif 000003
【図２】
0003139948.tif 000004
【図３】
0003139948.tif 000005
【図４】
0003139948.tif 000006
【図５】
0003139948.tif 000007
【図６】
0003139948.tif 000008
【図７】
0003139948.tif 000009
【図８】
0003139948.tif 000010
【図９】
0003139948.tif 000011
【図１０】
0003139948.tif 000012
【図１１】
0003139948.tif 000013
【図１２】
0003139948.tif 000014
【図１３】
0003139948.tif 000015
【図１４】
0003139948.tif 000016